(57)【特許請求の範囲】
【請求項１】
対向した面に直接に当接される側枠及び各側枠の端部に嵌合される伸縮棒を備えて当該伸縮棒を伸縮させることで前記各側枠が対向した面に圧接されてこれら各側枠及び各伸縮棒からなる四角枠で全体を支えて取り付けられる基枠部と、
対向した面に圧接された前記基枠部に支持されて当該基枠部に対して面一から直交角度まで角度調整して固定され、基枠部の側枠に嵌合する側枠と、各側枠に嵌合された伸縮棒とから構成される、上側に物を載置する棚部とを備えたことを特徴とする伸縮棚。
【請求項２】
請求項１に記載の伸縮棚において、
前記棚部の後端に、載置された物を受ける荷止め部を設けたことを特徴とする伸縮棚。
【発明の詳細な説明】
【０００１】
【発明の属する技術分野】
本発明は相対向して位置する２つの壁の間に掛け渡し、物を掛けたり載せたりする伸縮棚に関する。
【０００２】
【従来の技術】
従来の伸縮棚としては、例えば実開昭62-142944号公報記載の「パイプ棚」が知られている。この「パイプ棚」を図２及び図３に基づいて概説する。
【０００３】
パイプ棚１は主に、４本の伸縮棒２と、各伸縮棒２を両端から支持して壁面に取り付けられる枠体３と、最奥側の伸縮棒２に回動可能に取り付けられたアーム４とから構成されている。
【０００４】
アーム４は、図３に示すように、上下及び水平に適宜回動させることができようになっている。このアーム４を上方に向けて固定することで、載置された物が後方にずれて落ちるのを防止している。
【０００５】
このパイプ棚１は、対向する壁面の間に、水平状態にして掛け渡される。
【０００６】
【発明が解決しようとする課題】
ところが、前記従のパイプ棚１では、水平状態にして壁面間に掛け渡されるので、壁面の奥行寸法が、最低でも枠体３の幅だけ必要になる。このため、台所の出窓等のように、奥行寸法がほとんどないところには取り付けることができないという問題点がある。
【０００７】
本発明は以上述べたような問題点に鑑みてなされたもので、奥行寸法の少ないところにも確実に取り付けることができる伸縮棚を提供することを目的とする。
【０００８】
【課題を解決するための手段】
前述した課題を解決するために第１の発明に係る伸縮棚は、対向した面に直接に当接される側枠及び各側枠の端部に嵌合される伸縮棒を備えて当該伸縮棒を伸縮させることで前記各側枠が対向した面に圧接されてこれら各側枠及び各伸縮棒からなる四角枠で全体を支えて取り付けられる基枠部と、対向した面に圧接された前記基枠部に支持されて当該基枠部に対して面一から直交角度まで角度調整して固定され、基枠部の側枠に嵌合する側枠と、各側枠に嵌合された伸縮棒とから構成される、上側に物を載置する棚部とを備えたことを特徴とする。
【０００９】
この構成により、対向する面の奥行寸法があまりない出窓等においては、基枠部を縦にして、僅かな奥行寸法に部分に取り付ける。棚部は、基枠部に対して水平状態にして固定する。これにより、奥行寸法があまりない出窓等にも確実に取り付けることができる。一方、通常の伸縮棚として使用するときには、棚部を基枠部と面一にして固定する。これにより、通常の平板状の伸縮棚として、十分な奥行寸法のある対向面に取り付ける。
【００１０】
第２の発明に係る伸縮棚は、前記棚部の後端に、載置された物を受ける荷止め部を設けたことを特徴とする。
【００１１】
荷止め部を設けたので、伸縮棚の上に載置された物は、その後部が荷止め部で支持される。これにより、載置された物が伸縮棚の後部から落下することが無くなる。
【００１２】
【発明の実施の形態】
以下、本発明の実施形態を添付図面を参照しながら説明する。図１は本実施形態に係る伸縮棚１１を示す斜視図、図４は基枠部１２の側枠１６を示す側面図、図５は基枠部１２の側枠１６を示す平面図、図６は棚部１３の側枠４２を示す側面図、図７は棚部１３の側枠４２を示す平面図、図８は伸縮棚１１を出窓の窓枠５７に取り付けた状態を示す斜視図、図９は基枠部１２と棚部１３とを同一面上に配設して固定した状態を示す斜視図である。
【００１３】
［構成］
本実施形態に係る伸縮棚１１は、図１に示すように、対向した壁面や台所の出窓の窓枠５７（図８参照）等に直接に固定される基枠部１２と、この基枠部１２と同一角度（図９に示すように、基枠部１２と同一面上に配設した状態、即ち基枠部１２と面一になる角度）又は基枠部１２と直交角度（図１の状態）で基枠部１２に固定される棚部１３とをから構成されている。
【００１４】
基枠部１２は、対向する壁面等に直接に当接される側枠１５，１６と、各側枠１５，１６の端部（図１中の上下端部）に嵌合される伸縮棒１７，１８と、一方の伸縮棒１７に取り付けられた中枠支持片１９とから構成されている。なお、伸縮棒１８は、棚部１３の伸縮棒を兼用している。
【００１５】
側枠１５，１６は、図４及び図５に示すように構成されている。なお、図４及び図５には、図１中の左側の側枠１６を示している。右側の側枠１５は、後述する伸縮棒支持用凸部２７の代わりに、伸縮棒１７の端部が嵌合する伸縮棒嵌合凹部（図示せず）を有する点が異なるが、他の部分は同一の構成を有している。この側枠１６は、ほぼ四角棒状の枠本体２１と、この枠本体２１の一端部（図４中の左端部）に円形状に拡大して形成され棚部１３を支持する棚部支持部２２と、この棚部支持部２２に設けられ棚部１３を基枠部１２と同一角度又は直交角度で支持するほぼ十字状の棚部支持用嵌合孔２３と、この棚部支持用嵌合孔２３に同一角度又は直交角度で嵌合された棚部１３をその状態で回動しないように堅固に固定支持する棚部固定孔２４，２５と、枠本体２１の他端部に設けられ前記同一角度で支持された棚部１３の側枠４１，４２の円弧状先端部に嵌合してこの側枠４１，４２を回動しないように支持する円弧状凹部２６Ａを有する側枠支持部２６と、この側枠支持部２６に一体的に設けられ後述する伸縮棒１７の締結ねじ３４の一端が嵌合されて伸縮棒１７を支持する伸縮棒支持用凸部２７と、滑り止め用のパッド等が貼られ壁面等に直接に当接して伸縮棚１１を支持する当接部２８と、棚部支持部２２の裏面に設けられ前記当接部２８と同様の当接部２９とから構成されている。
【００１６】
棚部固定孔２４は、棚部支持用嵌合孔２３に近い位置に設けられ、後述する棚部１３の側枠４１，４２の固定用突起４７が嵌合することで、図１に示すように棚部１３を基枠部１２に対して直交する方向に配設した状態で堅固に固定支持する。棚部固定孔２５は、棚部支持用嵌合孔２３から遠い位置に設けられ、後述する棚部１３の側枠４１，４２の固定用突起４８が嵌合することで、図９に示すように棚部１３を基枠部１２と同一角度に配設した状態で堅固に固定支持する。
【００１７】
伸縮棒１７，１８は、図１に示すように、外側管部３１と、この外側管部３１の内部に出し入れ可能に挿入された内側管部３２と、この内側管部３２を外側管部３１から一定長さだけ延出させた状態でこれらを固定するための固定ねじ３３と、伸縮棚１１を対向壁面等に取り付けるときに最終的に締め付けて固定するための締結ねじ３４とから構成されている。なお、伸縮棒１７側の固定ねじ３３は、中枠支持片１９に取り付けられ、外側管部３１及び内側管部３２を互いに固定すると同時に、この中枠支持片１９を伸縮棒１７に固定している。伸縮棒１８側の固定ねじ３３（図９参照）は、後述する中枠４４に取り付けられ、外側管部３１及び内側管部３２を互いに固定すると同時に、この中枠４４を伸縮棒１８に固定している。
【００１８】
中枠支持片１９は、中枠４４の円弧状先端部に嵌合してこの中枠４４を回動しないように支持するもので、基枠部１２と棚部１３とが同一角度に配設された状態で、中枠４４の円弧状先端部に嵌合する円弧状凹部１９Ａを有して構成されている。
【００１９】
棚部１３は、基枠部１２の側枠１５，１６に嵌合する側枠４１，４２と、各側枠４１，４２に一定間隔をおいて並列に嵌合された四本の伸縮棒４３（このうち一本は基枠部１２の伸縮棒１８）と、各側枠４１，４２の中間に位置し各伸縮棒４３が貫通した状態で取り付けられた中枠４４とから構成されている。
【００２０】
側枠４１，４２は、図６及び図７に示すように構成されている。なお、図６及び図７は図１中の左側の側枠４２を示す。右側の側枠４１は、後述する伸縮棒支持用凸部５０の代わりに、伸縮棒１８の端部が嵌合する伸縮棒嵌合凹部（図示せず）を有する点が異なるが、他の部分は同一の構成を有している。この側枠４２は、ほぼ四角棒状の枠本体４５と、基枠部１２側の棚部支持用嵌合孔２３に嵌合して棚部１３を基枠部１２に対して同一角度又は直交角度に調整する十字状の嵌合凸部４６と、基枠部１２側の棚部固定孔２４に嵌合して棚部１３を基枠部１２に対して直交角度方向に固定支持する固定用突起４７と、基枠部１２側の棚部固定孔２５に嵌合して棚部１３を基枠部１２に対して同一角度方向に固定支持する固定用突起４８と、３本の伸縮棒４３がそれぞれ嵌合される伸縮棒嵌合孔４９（図１参照）と、嵌合凸部４６の裏面に延出して設けられ伸縮棒１８の締結ねじ３４の一端が嵌合されて伸縮棒１８を支持する伸縮棒支持用凸部５０とから構成されている。
【００２１】
中枠４４は、図１に示すように、全体形状を側枠４１，４２とほぼ同様に形成され、各伸縮棒４３及び伸縮棒１８が貫通して設けられている。この中枠４４は、固定ねじ３３で伸縮棒１８に固定される。
【００２２】
棚部１３の後端には、載置された物を受ける荷止め部５１が形成されている。この荷止め部５１は、各側枠４１，４２及び中枠４４の後端部に上方（棚部１３を水平に配設した状態での上方）へ立ち上げた状態に形成された立ち上げ部５２と、各立ち上げ部５２に挿通されて固定される伸縮棒５４を嵌合及び貫通させる伸縮棒嵌合孔５３とから構成されている。
【００２３】
［作用］
以上のように構成された伸縮棚１１は以下の態様で相対向した壁面等に取り付けられる。
【００２４】
台所の出窓に取り付ける場合を、図８に基づいて説明する。図中の５５，５６は窓ガラスである。この２枚の窓ガラス５５，５６は、窓枠５７に嵌め込まれている。この窓枠５７は、多少の奥行寸法を有するため、伸縮棚１１を取り付けることができる僅かな対向壁面Ａが存在する。
【００２５】
この対向壁面Ａに伸縮棚１１の基枠部１２を固定する。具体的には、固定ねじ３３を緩めて、伸縮棒１７，１８を窓枠５７の寸法に合わせて延ばし、固定ねじ３３を締め付けて固定する。このとき、棚部１３は、基枠部１２に対して直交角度になるように、棚部１３側の側枠４１，４２の嵌合凸部４６と基枠部１２側の側枠１５，１６の棚部支持用嵌合孔２３とが互いに嵌合されている。さらに、固定用突起４７と棚部固定孔２４も互いに嵌合されている。
【００２６】
次いで、締結ねじ３４を締め付けて、側枠１５，１６を窓枠５７の対向壁面Ａに圧接し、基枠部１２を窓枠５７に確実に固定する。
【００２７】
これにより、僅かな奥行寸法を有する窓枠５７に、伸縮棚１１を確実に取り付けることができる。なお、ここでは、棚部１３が基枠部１２の下方に位置するように取り付けたが、これと逆に棚部１３が上方に位置するように取り付けてもよい。
【００２８】
一方、十分な奥行寸法のある壁面に伸縮棚１１を取り付ける場合には、図９に示すように、通常の平板状の伸縮棚として使用することができる。
【００２９】
この場合は、基枠部１２と棚部１３とを同一角度状態にする。即ち、基枠部１２の側枠１５，１６と棚部１３の側枠４１，４２とが同一角度になるように、基枠部１２側の棚部支持用嵌合孔２３に棚部１３側の嵌合凸部４６を嵌合すると共に、固定用突起４８を棚部固定孔２５に嵌合する。これにより、側枠４１，４２の円弧状先端部が側枠１５，１６の円弧状凹部２６Ａに嵌合し、中枠４４の円弧状先端部が中枠支持片１９の円弧状凹部１９Ａに嵌合する。そして、全体は通常の平板状の伸縮棚と同様の構成となる。この伸縮棚１１を、十分な奥行寸法のある対向壁面間に掛け渡す。
【００３０】
このとき、伸縮棚１１は、図９に示すように、荷止め部５１を下方に向けて取り付けてタオルハンガーとして使用したり、荷止め部５１を上方に向けて通常の荷物を載置する棚として使用したりできる。
【００３１】
［効果］
以上のように構成された伸縮棚１１では、垂直方向に配設できる基枠部１２と、水平方向に配設できる棚部１３とを設けたので、僅かな奥行寸法しかない窓枠等の部分にも、伸縮棚１１確実に取り付けることができるようになる。
【００３２】
また、基枠部１２と棚部１３とを同一角度状態にすることにより、平板状の通常の伸縮棚としても使用することができる。
【００３３】
さらに、荷止め部５１を設けたので、荷物が後端部から落下するのを確実に防止することができる。
【００３４】
［変形例］
前記実施形態では、基枠部１２と棚部１３との角度を、同一角度又は直交角度の二つの角度で支持されるように設定したが、さらに細かい角度で（例えば、３０度間隔で）調整できるように設定してもよい。また、例えば棚部支持用嵌合孔２３と嵌合凸部４６とをスプロケット状に形成して、任意の角度で調整できる程度まで細かく角度を設定してもよい。
【００３５】
【発明の効果】
以上詳細に説明したように本発明によれば、次のような効果を奏することができる。
【００３６】
（１）  垂直方向に配設できる基枠部と、水平方向に配設できる棚部とを設けたので、僅かな奥行寸法しかない窓枠等の部分にも、伸縮棚を確実に取り付けることができるようになる。
【００３７】
（２）  基枠部と棚部とを同一角度状態にすることにより、平板状の通常の伸縮棚としても使用することができる。
【００３８】
（３）  荷止め部を設けたので、荷物が後端部から落下するのを確実に防止することができる。
【図面の簡単な説明】
【図１】本発明に係る伸縮棚を示す斜視図である。
【図２】従来の伸縮棚を示す平面図である。
【図３】従来の伸縮棚を示す側面断面図である。
【図４】本発明に係る伸縮棚の基枠部の側枠を示す側面図である。
【図５】基枠部の側枠を示す平面図である。
【図６】棚部の側枠を示す側面図である。
【図７】棚部の側枠を示す平面図である。
【図８】伸縮棚を出窓の窓枠に取り付けた状態を示す斜視図である。
【図９】基枠部と棚部とを同一面上に配設して固定した状態を示す斜視図である。
【符号の説明】
１１：伸縮棚装置、１２：基枠部、１３：棚部、１５，１６：側枠、１７，１８：伸縮棒、１９：中枠支持片、３３：固定ねじ、３４：締結ねじ、４１，４２：側枠、４４：中枠、５１：荷止め部。
【図１】
0004218990.tif 000002
【図２】
0004218990.tif 000003
【図３】
0004218990.tif 000004
【図４】
0004218990.tif 000005
【図５】
0004218990.tif 000006
【図６】
0004218990.tif 000007
【図７】
0004218990.tif 000008
【図８】
0004218990.tif 000009
【図９】
0004218990.tif 000010